(57)【特許請求の範囲】
【請求項１】
第１の開口部が設けられた第１の面と、前記第１の面と間隔を空けて対向する第２の面と、前記第１の面と前記第２の面とを接続した底面と、を有した凹状の収容部、を有した支持体と、
前記第１の面と対向する第１の端部と、前記第２の面と対向する第２の端部と、前記第１の端部と前記第２の端部との間に設けられた複数のキーと、前記第１の端部から前記第２の端部とは反対側に突出し前記第１の開口部に入れられる第１の爪部と、前記第２の端部から前記第１の端部とは反対側に突出した第２の爪部と、を有し、前記複数のキーが前記収容部から露出する状態で前記収容部に収容され、前記第１の爪部が前記第１の開口部に入れられた第１の位置と、前記第１の位置よりも前記第１の面から前記第２の面に向かう第１の方向の位置であり、前記第１の爪部が前記第１の開口部の外に位置され前記収容部からの取り外しが可能な第２の位置との間で移動可能なキーボードと、
前記第１の位置に位置された状態の前記キーボードの前記第２の爪部に対して前記底面とは反対側に位置されて前記第２の爪部を覆った状態で前記第２の面と前記第２の端部との間に介在し、前記キーボードの前記第１の方向への移動を制限するカバーと、
前記第１の爪部と、前記第２の爪部と、を含み、前記支持体と前記キーボードと前記カバーとを分離可能に引っ掛けによって結合した複数の爪部と、
を備えた電子機器。
【請求項２】
前記第２の面には、前記第２の爪部が入れられた第２の開口部が設けられ、
前記第１の爪部の前記第１の方向の長さは、前記第２の爪部の前記第１の方向の長さよりも短い、請求項１に記載の電子機器。
【請求項３】
前記カバーは、前記第１の方向と交差し前記底面に沿う第２の方向に延びた第１の部分と、前記第１の部分よりも前記第１の方向および前記第２の方向に位置され前記第２の方向に延びた第２の部分と、前記第２の方向に向かうにつれて前記第１の方向に向かうように前記第１の部分から前記第２の部分に延びた第３の部分と、を有した、請求項１または２に記載の電子機器。
【請求項４】
前記複数の爪部は、前記第３の部分に設けられ前記支持体に引っ掛かる第３の爪部を含む、請求項３に記載の電子機器。
【請求項５】
前記複数の爪部は、前記第１の部分に設けられ、前記第２の方向の反対方向に突出し前記支持体に引っ掛かる第４の爪部と、前記第２の部分に設けられ、前記第２の方向に突出し前記支持体に引っ掛かる第５の爪部と、を含む、請求項４に記載の電子機器。
【請求項６】
前記第１の方向と交差し前記底面に沿う第２の方向に間隔を空けて設けられた複数の前記第２の爪部を備え、
隣り合う２つの前記第２の爪部の間に、前記第３の爪部、前記第４の爪部、および前記第５の爪部のうち少なくとも一つが設けられた、請求項５に記載の電子機器。
【発明の詳細な説明】
【技術分野】
【０００１】
本発明は、電子機器に関する。
【背景技術】
【０００２】
従来、支持体と、支持体に着脱可能に取り付けられたキーボードと、支持体に対するキーボードの取り付け部を覆ったカバーと、を備えた電子機器が知られている。
【先行技術文献】
【特許文献】
【０００３】
【特許文献１】特開２０１９−４０５６０号公報
【発明の概要】
【発明が解決しようとする課題】
【０００４】
この種の電子機器では、例えば、支持体にキーボードを取り付けるための構成を簡素化しやすい新規な構成が得られれば、有益である。
【０００５】
そこで、本発明の課題の一つは、支持体にキーボードを取り付けるための構成を簡素化しやすい新規な構成の電子機器を得ることである。
【課題を解決するための手段】
【０００６】
本発明の第１の態様にかかる電子機器は、第１の開口部が設けられた第１の面と、前記第１の面と間隔を空けて対向する第２の面と、前記第１の面と前記第２の面とを接続した底面と、を有した凹状の収容部、を有した支持体と、前記第１の面と対向する第１の端部と、前記第２の面と対向する第２の端部と、前記第１の端部と前記第２の端部との間に設けられた複数のキーと、前記第１の端部から前記第２の端部とは反対側に突出し前記第１の開口部に入れられる第１の爪部と、前記第２の端部から前記第１の端部とは反対側に突出した第２の爪部と、を有し、前記複数のキーが前記収容部から露出する状態で前記収容部に収容され、前記第１の爪部が前記第１の開口部に入れられた第１の位置と、前記第１の位置よりも前記第１の面から前記第２の面に向かう第１の方向の位置であり、前記第１の爪部が前記第１の開口部の外に位置され前記収容部からの取り外しが可能な第２の位置との間で移動可能なキーボードと、前記第１の位置に位置された状態の前記キーボードの前記第２の爪部に対して前記底面とは反対側に位置されて前記第２の爪部を覆った状態で前記第２の面と前記第２の端部との間に介在し、前記キーボードの前記第１の方向への移動を制限するカバーと、前記第１の爪部と、前記第２の爪部と、を含み、前記支持体と前記キーボードと前記カバーとを分離可能に引っ掛けによって結合した複数の爪部と、を備える。
【０００７】
前記電子機器では、例えば、前記第２の面には、前記第２の爪部が入れられた第２の開口部が設けられ、前記第１の爪部の前記第１の方向の長さは、前記第２の爪部の前記第１の方向の長さよりも短い。
【０００８】
前記電子機器では、例えば、前記カバーは、前記第１の方向と交差し前記底面に沿う第２の方向に延びた第１の部分と、前記第１の部分よりも前記第１の方向および前記第２の方向に位置され前記第２の方向に延びた第２の部分と、前記第２の方向に向かうにつれて前記第１の方向に向かうように前記第１の部分から前記第２の部分に延びた第３の部分と、を有する。
【０００９】
前記電子機器では、例えば、前記複数の爪部は、前記第３の部分に設けられ前記支持体に引っ掛かる第３の爪部を含む。
【００１０】
前記電子機器では、例えば、前記複数の爪部は、前記第１の部分に設けられ、前記第２の方向の反対方向に突出し前記支持体に引っ掛かる第４の爪部と、前記第２の部分に設けられ、前記第２の方向に突出し前記支持体に引っ掛かる第５の爪部と、を含む。
【００１１】
前記電子機器は、例えば、前記第１の方向と交差し前記底面に沿う第２の方向に間隔を空けて設けられた複数の前記第２の爪部を備え、隣り合う２つの前記第２の爪部の間に、前記第３の爪部、前記第４の爪部、および前記第５の爪部のうち少なくとも一つが設けられている。
【発明の効果】
【００１２】
本発明の上記態様によれば、本発明の課題の一つは、支持体にキーボードを取り付けるための構成を簡素化しやすい新規な構成の電子機器を得ることができる。
【図面の簡単な説明】
【００１３】
【図１】図１は、実施形態の電子機器の正面側からの例示的な斜視図であって、ディスプレイ部が展開位置に位置された状態の図である。
【図２】図２は、実施形態の電子機器におけるベース部の例示的な斜視図である。
【図３】図３は、実施形態の電子機器におけるベース部の例示的な斜視図であって、キーボードが外された状態の図である。
【図４】図４は、実施形態の電子機器におけるベース部の例示的な斜視図であって、キーボードが外された状態における図３とは異なる視線での図である。
【図５】図５は、図３のV部の拡大図である。
【図６】図６は、図４のVI部の拡大図である。
【図７】図７は、図４のVII部の拡大図である。
【図８】図８は、実施形態の電子機器におけるベース部の収容部に収容されたキーボードの例示的な平面図である。
【図９】図９は、実施形態の電子機器におけるキーボードの例示的な斜視図である。
【図１０】図１０は、実施形態の電子機器におけるキーボードの例示的な斜視図であって、図９とは異なる視線での図である。
【図１１】図１１は、実施形態の電子機器におけるキーボードの例示的な平面図である。
【図１２】図１２は、実施形態の電子機器におけるカバーの例示的な斜視図である。
【図１３】図１３は、図１２のXIII部の拡大図である。
【図１４】図１４は、図１２のXIV部の拡大図である。
【図１５】図１５は、図１２のXV部の拡大図である。
【図１６】図１６は、実施形態の電子機器におけるベース部の例示的な平面図であって、カバーが外された状態の図である。
【図１７】図１７は、実施形態の電子機器におけるベース部の例示的な斜視図であって、カバーが外された状態の図である。
【図１８】図１８は、実施形態の電子機器におけるベース部の例示的な平面図であって、キーボードが第２の位置に移動された状態の図である。
【図１９】図１９は、実施形態の電子機器におけるベース部の例示的な斜視図であって、キーボードが第２の位置に移動された状態の図である。
【図２０】図２０は、実施形態の電子機器におけるベース部の例示的な斜視図であって、キーボードの後端部が引き上げられた状態の図である。
【図２１】図２１は、実施形態の電子機器におけるベース部の例示的な斜視図であって、キーボードの全体が引き上げられた状態の図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
図１は、実施形態の電子機器１の正面側からの例示的な斜視図であって、ディスプレイ部３が展開位置に位置された状態の図である。
【００１７】
図１に示されるように、電子機器１は、例えば、ノートブック型（クラムシェル型）のパーソナルコンピュータとして構成され、ベース部２と、ディスプレイ部３と、を備えている。ベース部２は、例えば机や、台、棚等の載置部の平面に載置される。ディスプレイ部３は、ベース部２に対して回転中心軸Ｃ回りに回転可能にベース部２に支持され、展開位置（図１）と閉じ位置（不図示）との間を移動可能である。具体的には、ディスプレイ部３は、ヒンジ５を介してベース部２に連結されている。
【００１８】
なお、本実施形態では、便宜上、方向が定義されている。Ｘ１方向は、ベース部２の前後方向の前方と同じである。Ｘ２方向は、Ｘ１方向の反対方向であって、ベース部２の前後方向の後方と同じである。Ｘ１方向およびＸ２方向を合わせてＸ方向と称する。Ｘ方向は、ベース部２の前後方向と同じである。Ｙ１方向は、ベース部２の幅方向（左右方向、長手方向）に沿う方向である。Ｙ２方向は、Ｙ１方向の反対方向である。Ｙ１方向およびＹ２方向を合わせてＹ方向と称する。Ｙ方向は、ベース部２の幅方向（左右方向、長手方向）と同じである。Ｚ１方向は、ベース部２の高さ方向（上下方向の上方）と同じである。Ｚ２方向は、Ｚ１方向の反対方向である。Ｚ１方向およびＺ２方向を合わせてＺ方向と称する。Ｚ方向は、ベース部２の高さ方向（上下方向）と同じである。Ｘ１方向、Ｙ１方向、およびＺ１方向は、互いに直交している。また、Ｘ２方向、Ｙ２方向、およびＺ２方向は、互いに直交している。Ｘ１方向は、第１の方向の一例であり、Ｙ２方向は、第２の方向の一例である。
【００１９】
図２は、実施形態の電子機器１におけるベース部２の例示的な斜視図である。図２に示されるように、ベース部２は、第１の筐体１１と、第１の筐体１１に支持されたキーボード１２と、キーボード１２の一部を覆うカバー３１と、を有している。キーボード１２は、上方から操作可能な状態に第１の筐体１１に支持されている。また、第１の筐体１１内には、基板が収容されている。基板には、ＣＰＵ（Central  Processing  Unit）や、ＲＯＭ（Read  Only  Memory）、ＲＡＭ（Random  Access  Memory）等の複数の電子部品が実装されている。基板に設けられた配線と基板に実装された複数の電子部品とによって、電子機器１の電子回路の少なくとも一部が構成されている。
【００２０】
図１に示されるように、ディスプレイ部３は、第２の筐体２１と、ディスプレイユニット２２と、を有している。ディスプレイユニット２２は、表示画面２２ａが前方から視認可能な状態に、第２の筐体２１に支持されている。
【００２１】
ディスプレイ部３が展開位置（図１）に位置した状態では、第１の筐体１１の上面１１ａおよびキーボード１２と、第２の筐体２１の前面２１ａおよびディスプレイユニット２２の表示画面２２ａとが対向せず、第１の筐体１１の上面１１ａ、キーボード１２、第２の筐体２１の前面２１ａ、ディスプレイユニット２２の表示画面２２ａが露出する。このとき、第２の筐体２１の前面２１ａおよび後面２１ｂは、それぞれ、前方および後方を向く。
【００２２】
一方、ディスプレイ部３が閉じ位置（不図示）に位置した状態では、第１の筐体１１の上面１１ａおよびキーボード１２と、第２の筐体２１の前面２１ａおよびディスプレイユニット２２の表示画面２２ａとが対向する。
【００２３】
図２に示されるように、第１の筐体１１の形状は、上下方向に扁平な略直方体である。第１の筐体１１は、例えば、下壁１１ｃや、上壁１１ｄ、前壁１１ｅ、後壁１１ｆ、左壁１１ｇ、右壁１１ｈ等の複数の壁を有している。
【００２４】
下壁１１ｃは、下面１１ｂを含み、上壁１１ｄは、上面１１ａを含む。下壁１１ｃおよび上壁１１ｄは、いずれも、Ｚ方向と直交する方向に沿って延びており、Ｚ方向に間隔をあけて互いに平行に設けられている。
【００２５】
前壁１１ｅおよび後壁１１ｆは、いずれも、Ｘ方向と直交する方向に沿って延びており、Ｘ方向に間隔をあけて互いに平行に設けられている。前壁１１ｅおよび後壁１１ｆは、それぞれ、第１の筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。
【００２６】
左壁１１ｇおよび右壁１１ｈは、いずれも、Ｙ方向と直交する方向に沿って延びており、Ｙ方向に間隔をあけて互いに平行に設けられている。左壁１１ｇおよび右壁１１ｈは、それぞれ、第１の筐体１１の左端部１１ｋおよび右端部１１ｍを構成している。
【００２７】
また、第１の筐体１１には、四つの角部１１ｎａ〜１１ｎｄが設けられている。角部１１ｎａは、前壁１１ｅと左壁１１ｇとの交差部によって構成されている。角部１１ｎｂは、左壁１１ｇと後壁１１ｆとの交差部によって構成されている。角部１１ｎｃは、後壁１１ｆと右壁１１ｈとの交差部によって構成されている。角部１１ｎｄは、右壁１１ｈと前壁１１ｅとの交差部によって構成されている。
【００２８】
図３は、実施形態の電子機器１におけるベース部２の例示的な斜視図であって、キーボード１２が外された状態の図である。図４は、実施形態の電子機器１におけるベース部２の例示的な斜視図であって、キーボード１２が外された状態における図３とは異なる視線での図である。図５は、図３のV部の拡大図である。図６は、図４のVI部の拡大図である。図７は、図４のVII部の拡大図である。
【００２９】
図２〜図４に示されるように、第１の筐体１１は、収容部１５を有する。収容部１５は、キーボード１２のキー１２ｇを露出させた状態でキーボード１２を収容する。
【００３０】
図３および図４に示されるように、収容部１５は、上面１１ａからＺ２方向に凹んだ凹状に構成されている。収容部１５の内部には、凹部１５ｔ（空間）が設けられている。収容部１５は、底面１５ａ、前面１５ｂ、後面１５ｃ、左面１５ｄ、および右面１５ｅを有する。底面１５ａは、Ｚ１方向を向いている。前面１５ｂ、後面１５ｃ、左面１５ｄ、および右面１５ｅは、底面１５ａの外縁部からＺ１方向に延びている。換言すると、底面１５ａは、前面１５ｂ、後面１５ｃ、左面１５ｄ、および右面１５ｅに亘って設けられ、前面１５ｂ、後面１５ｃ、左面１５ｄ、および右面１５ｅを接続している。後面１５ｃは、第１の面の一例であり、前面１５ｂは、第２の面の一例である。
【００３１】
前面１５ｂは、Ｘ２方向を向いてＹ方向に延びている。詳細には、図４〜図６に示されるように、前面１５ｂは、第１の部分１５ｂａと、第２の部分１５ｂｂと、第３の部分１５ｂｃと、を有する。第１の部分１５ｂａは、Ｘ方向と交差し底面１５ａに沿うＹ方向に直線状に延びている。第２の部分１５ｂｂは、第１の部分１５ｂａよりもＸ２方向およびＹ２方向に位置され、Ｙ方向に直線状に延びている。第３の部分１５ｂｃは、Ｙ２方向に向かうにつれてＸ２方向に向かうように第１の部分１５ｂａから第２の部分１５ｂｂに延びている。図７に示されるように、第３の部分１５ｂｃは、直線状部１５ｂｃａと、二つの湾曲部１５ｂｃｂ，１５ｂｃｃと、を有する。直線状部１５ｂｃａは、Ｙ２方向に向かうにつれてＸ２方向に向かうように、Ｘ方向およびＹ方向に対して傾斜している。湾曲部１５ｃｂｂは、直線状部１５ｂｃａのＹ１方向の端部と第１の部分１５ｂａのＹ２方向の端部とを接続している。湾曲部１５ｂｃｃは、直線状部１５ｂｃａのＹ２方向の端部と第２の部分１５ｂｂのＹ１方向の端部とを接続している。
【００３２】
後面１５ｃは、前面１５ｂのＸ２方向に位置し、Ｘ１方向を向いてＹ方向に延びている。すなわち、前面１５ｂと後面１５ｃとは、Ｘ方向に間隔を空けて対向する。
【００３３】
左面１５ｄは、Ｙ２方向を向いてＸ方向に延びている。右面１５ｅは、左面１５ｄのＹ２方向に位置し、Ｙ１方向を向いてＸ方向に延びている。
【００３４】
図３に示されるように、収容部１５の後面１５ｃには、収容部１５を貫通した複数の孔１５ｇが設けられている。図５に示されるように、収容部１５における孔１５ｇの周囲の部分すなわち収容部１５における孔１５ｇの縁部は、引掛部１５ｆを構成している。すなわち、収容部１５には、複数の引掛部１５ｆが設けられている。図３に示されるように、複数の孔１５ｇおよび複数の引掛部１５ｆは、それぞれＹ方向に間隔を空けて並べられている。孔１５ｇは、第１の開口部の一例である。なお、第１の開口部は、後面１５ｃに開口した凹部であってもよい。
【００３５】
また、図４に示されるように、収容部１５の前面１５ｂには、収容部１５を貫通した複数の孔１５ｉが設けられている。図６に示されるように、収容部１５における孔１５ｉの周囲の部分すなわち収容部１５における孔１５ｉの縁部は、引掛部１５ｈを構成している。すなわち、収容部１５には、複数の引掛部１５ｈが設けられている。図４に示されるように、複数の孔１５ｉおよび複数の引掛部１５ｈは、それぞれＹ方向に間隔を空けて並べられている。孔１５ｉは、第２の開口部の一例である。なお、第２の開口部は、前面１５ｂに開口した凹部であってもよい。
【００３６】
また、図４に示されるように、収容部１５の前面１５ｂの第１の部分１５ｂａには、複数の引掛部１５ｊが設けられている。複数の引掛部１５ｊは、Ｙ方向に間隔を空けて並べられている。図６に示されるように、収容部１５には、引掛部１５ｊに隣接した孔１５ｋが設けられている。孔１５ｋは、引掛部１５ｊごとに設けられている。孔１５ｋは、前面１５ｂと底面１５ａとに亘って設けられている。
【００３７】
また、図４に示されるように、収容部１５の前面１５ｂの第２の部分１５ｂｂには、引掛部１５ｍが設けられている。図７に示されるように、収容部１５には、引掛部１５ｍに隣接した孔１５ｎが設けられている。孔１５ｎは、前面１５ｂと底面１５ａとに亘って設けられている。
【００３８】
また、図６に示されるように、前面１５ｂのＹ１方向の端部には、収容部１５を貫通した孔１５ｑが設けられている。収容部１５における孔１５ｑの周囲の部分すなわち収容部１５における孔１５ｑの縁部は、引掛部１５ｐを構成している。
【００３９】
また、図７に示されるように、前面１５ｂのＹ２方向の端部には、収容部１５を貫通した孔１５ｓが設けられている。収容部１５における孔１５ｓの周囲の部分すなわち収容部１５における孔１５ｓの縁部は、引掛部１５ｒを構成している。
【００４０】
また、図７に示されるように、前面１５ｂの第３の部分１５ｂｃには、収容部１５を貫通した孔１５ｎが設けられている。収容部１５における孔１５ｎの周囲の部分すなわち収容部１５における孔１５ｎの縁部は、引掛部１５ｕを構成している。
【００４１】
また、図３および図４に示されるように、第１の筐体１１は、ロアカバー１３と、アッパーカバー１４と、を含む複数の部材の組み合わせによって構成されている。ロアカバー１３は、少なくとも下壁１１ｃおよびを含む。アッパーカバー１４は、少なくとも上壁１１ｄおよび収容部１５を含む。
【００４２】
図８は、実施形態の電子機器１におけるベース部２の収容部１５に収容されたキーボード１２の例示的な平面図である。図９は、実施形態の電子機器１におけるキーボード１２の例示的な斜視図である。図１０は、実施形態の電子機器１におけるキーボード１２の例示的な斜視図であって、図９とは異なる視線での図である。図１１は、実施形態の電子機器１におけるキーボード１２の例示的な平面図である。
【００４３】
図８〜図１１に示されるように、キーボード１２は、前端部１２ｃと、後端部１２ｄと、左端部１２ｅと、右端部１２ｆと、を有する。前端部１２ｃは、Ｘ１方向の端部であり、後端部１２ｄは、Ｘ２方向の端部である。すなわち、前端部１２ｃと後端部１２ｄとは、互いに反対側に設けられている。前端部１２ｃおよび後端部１２ｄは、Ｘ２方向およびＺ１方向と交差するＹ方向に延びている。左端部１２ｅは、Ｙ１方向の端部であり、右端部１２ｆは、Ｙ２方向の端部である。すなわち、左端部１２ｅと右端部１２ｆとは、互いに反対側に設けられている。左端部１２ｅと右端部１２ｆとは、Ｘ方向に延びている。
【００４４】
図９および図１１に示されるように、前端部１２ｃは、第１の部分１２ｃａと、第２の部分１２ｃｂと、第３の部分１２ｃｃと、を有する。第１の部分１２ｃａは、Ｙ方向に直線状に延びている。第２の部分１２ｃｂは、第１の部分１２ｃａよりもＸ１方向およびＹ２方向に位置され、Ｙ方向に直線状に延びている。第３の部分１２ｃｃは、Ｙ２方向に向かうにつれてＸ１方向に向かうように第１の部分１２ｃａから第２の部分１２ｃｂに延びている。第３の部分１２ｃｃは、直線状部１２ｃｃａと、二つの湾曲部１２ｃｃｂ，１２ｃｃｃと、を有する。直線状部１２ｃｃａは、Ｙ２方向に向かうにつれてＸ１方向に向かうように、Ｘ方向およびＹ方向に対して傾斜している。湾曲部１２ｃｃｂは、直線状部１２ｃｃａのＹ１方向の端部と第１の部分１２ｃａのＹ２方向の端部とを接続している。湾曲部１２ｃｃｃは、直線状部１２ｃｃａのＹ２方向の端部と第２の部分１２ｃｂのＹ１方向の端部とを接続している。第１の部分１２ｃａ、第２の部分１２ｃｂ、および第３の部分１２ｃｃは、収容部１５の前面１５ｂの、第１の部分１５ｂａ、第２の部分１５ｂｂ、および第３の部分１５ｂｃに沿っている。
【００４５】
また、キーボード１２は、Ｚ１方向を向いた上面１２ａと、Ｚ２方向を向いた、上面１２ａの反対側の下面１２ｂと、を有する。上面１２ａおよび下面１２ｂは、それぞれ、前端部１２ｃと後端部１２ｄとに亘るとともに、左端部１２ｅと右端部１２ｆとに亘って設けられている。上面１２ａには、複数のキー１２ｇが配列されている。複数のキー１２ｇは、上面１２ａからＺ１方向に突出している。
【００４６】
また、図１０および図１１に示されるように、キーボード１２は、平板状の複数の爪部１２ｈを有する。複数の爪部１２ｈは、後端部１２ｄからＸ２方向に突出している。複数の爪部１２ｈは、Ｙ方向に互いに間隔を空けて並べられている。爪部１２ｈは、収容部１５の孔１５ｇに入れられた状態で引掛部１５ｆすなわち第１の筐体１１と引っ掛かっている。爪部１２ｈは、引掛部１５ｆによって、Ｙ１方向、Ｙ２方向、Ｚ１方向、およびＺ２方向の移動を制限される。
【００４７】
また、図９および図１１に示されるように、キーボード１２は、平板状の複数の爪部１２ｊを有する。複数の爪部１２ｊは、前端部１２ｃからＸ１方向に突出している。複数の爪部１２ｊは、Ｙ方向に互いに間隔を空けて並べられている。爪部１２ｊは、収容部１５の孔１５ｉに入れられた状態で収容部１５の引掛部１５ｈすなわち第１の筐体１１と引っ掛かっている。爪部１２ｊは、引掛部１５ｈによって、Ｙ１方向、Ｙ２方向、Ｚ１方向、およびＺ２方向の移動を制限される。
【００４８】
ここで、図１１に示されるように、爪部１２ｈのＸ２方向の長さは、爪部１２ｊのＸ１方向の長さよりも短い。換言すると、爪部１２ｊのＸ１方向の長さは、爪部１２ｈのＸ２方向の長さよりも長い。
【００４９】
図１２は、実施形態の電子機器１におけるカバー３１の例示的な斜視図である。図１３は、図１２のXIII部の拡大図である。図１４は、図１２のXIV部の拡大図である。図１５は、図１２のXV部の拡大図である。
【００５０】
図１２に示されるように、カバー３１は、Ｙ方向を長手方向とし、Ｘ方向を短手方向とする棒状に構成されている。詳細には、カバー３１は、第１の部分３１ａと、第２の部分３１ｂと、第３の部分３１ｃと、を有する。カバー３１は、例えば合成樹脂材料によって構成されて、弾性を有する。
【００５１】
第１の部分３１ａは、Ｙ方向に直線状に延びている。第２の部分３１ｂは、第１の部分３１ａよりもＸ１方向およびＹ２方向に位置され、Ｙ方向に直線状に延びている。第３の部分３１ｃは、Ｙ２方向に向かうにつれてＸ１方向に向かうように第１の部分３１ａから第２の部分３１ｂに延びている。詳細には、第３の部分３１ｃは、直線状部３１ｃａと、二つの湾曲部３１ｃｂ，３１ｃｃと、を有する。直線状部３１ｃａは、Ｙ２方向に向かうにつれてＸ１方向に向かうように、Ｘ１方向およびＹ２方向に対して傾斜している。湾曲部３１ｃｂは、直線状部３１ｃａのＹ１方向の端部と第１の部分３１ａのＹ２方向の端部とを接続している。湾曲部３１ｃｃは、直線状部３１ｃａのＹ２方向の端部と第２の部分３１ｂのＹ１方向の端部とを接続している。第１の部分３１ａ、第２の部分３１ｂ、および第３の部分３１ｃは、収容部１５の前面１５ｂの、第１の部分１５ｂａ、第２の部分１５ｂｂ、および第３の部分１５ｂｃに沿っており、第１の部分１５ｂａ、第２の部分１５ｂｂ、および第３の部分１５ｂｃと接触している。また、第１の部分３１ａ、第２の部分３１ｂ、および第３の部分３１ｃは、キーボード１２の第１の部分３１ａ、第２の部分３１ｂ、および第３の部分３１ｃは、キーボード１２の前端部１２ｃの、第１の部分１２ｃａ、第２の部分１２ｃｂ、および第３の部分１２ｃｃに沿っており、第１の部分１２ｃａ、第２の部分１２ｃｂ、および第３の部分１２ｃｃと接触している。
【００５２】
カバー３１は、ベース３１ｄを有する。ベース３１ｄは、第１の部分３１ａ、第２の部分３１ｂ、および第３の部分３１ｃに亘って設けられている。ベース３１ｄは、Ｚ１方向を向いた上面３１ｅと、上面３１ｅの反対側の下面３１ｆと、を有する。また、ベース３１ｄは、左端部３１ｇと、右端部３１ｈと、を有する。
【００５３】
下面３１ｆには、複数の凹部３１ｉが設けられている。複数の凹部３１ｉは、Ｙ１方向に間隔を空けて設けられている。図１３に示されるように、凹部３１ｉは、下面３１ｆに開口するともに、ベース３１ｄをＸ方向に貫通している。凹部３１ｉには、キーボード１２の爪部１２ｊが挿入されている。
【００５４】
また、ベース３１ｄには、複数の凹部３１ｊが設けられている。詳細には、ベース３１ｄの第１の部分３１ａと第２の部分３１ｂとに、凹部３１ｊが設けられている。複数の凹部３１ｊは、Ｙ方向に間隔を空けて設けられている。図１３および図１４に示されるように、凹部３１ｊは、下面３１ｆに開口するともに、ベース３１ｄをＸ方向に貫通している。
【００５５】
図１２〜図１４に示されるように、ベース３１ｄには、凹部３１ｊごとに、爪部３１ｍ，３１ｎが設けられている。すなわち、カバー３１は、複数の爪部３１ｍ，３１ｎを有する。爪部３１ｍは、第１の部分３１ａに設けられ、爪部３１ｎは、第２の部分３１ｂに設けられている。
【００５６】
図１３に示されるように、爪部３１ｍは、下面３１ｆからＹ１方向に延びて、凹部３１ｊの一部の下方に位置している。爪部３１ｍは、第３の部分３１ｃから見て、ベース３１ｄの左端部３１ｇへ、すなわち外側に延びている。爪部３１ｍは、収容部１５の前面１５ｂの第１の部分１５ｂａの孔１５ｋに入れられた状態で第１の部分１５ｂａの引掛部１５ｊの下方に位置され、当該引掛部１５ｊと引っ掛かっている。爪部３１ｍは、引掛部１５ｊによって、少なくともＺ１方向の移動を制限されている。一方、爪部３１ｍは、第３の部分３１ｃ側に引っ張られると、引掛部１５ｊから抜ける。爪部３１ｍは、第４の爪部の一例である。
【００５７】
図１４に示されるように、爪部３１ｎは、下面３１ｆからＹ２方向に延びて、凹部３１ｊの一部の下方に位置している。爪部３１ｎは、第３の部分３１ｃから見て、ベース３１ｄの右端部３１ｈへ、すなわち外側に延びている。爪部３１ｎは、収容部１５の前面１５ｂの第２の部分１５ｂｂの孔１５ｎに入れられた状態で第２の部分１５ｂｂの引掛部１５ｍの下方に位置され、当該引掛部１５ｍと引っ掛かっている。爪部３１ｎは、引掛部１５ｍによって、少なくともＺ１方向の移動を制限されている。一方、爪部３１ｎは、第３の部分３１ｃ側に引っ張られると、引掛部１５ｍから抜ける。爪部３１ｎは、第５の爪部の一例である。
【００５８】
また、図１３に示されるように、ベース３１ｄの左端部３１ｇすなわち第１の部分３１ａの左端部３１ｇには、爪部３１ｐが設けられている。すなわち、カバー３１は、爪部３１ｐを有する。爪部３１ｐは、左端部３１ｇからＹ１方向に延びている。爪部３１ｐは、収容部１５の孔１５ｑに入れられた状態で引掛部１５ｐと引っ掛かっている。爪部３１ｐは、引掛部１５ｐによって、少なくともＺ１方向の移動を制限されている。爪部３１ｐは、第４の爪部の一例である。
【００５９】
また、図１４に示されるように、ベース３１ｄの右端部３１ｈすなわち第２の部分３１ｂの右端部３１ｈには、爪部３１ｑが設けられている。すなわち、カバー３１は、爪部３１ｑを有する。爪部３１ｑは、右端部３１ｈからＹ２方向に延びている。爪部３１ｑは、収容部１５の孔１５ｓに入れられた状態で引掛部１５ｒと引っ掛かっている。爪部３１ｑは、引掛部１５ｒによって、少なくともＺ１方向の移動を制限されている。爪部３１ｑは、第５の爪部の一例である。
【００６０】
また、図１５に示されるように、ベース３１ｄの第３の部分３１ｃには、凹部３１ｋが設けられている。凹部３１ｋは、下面３１ｆに開口するともに、ベース３１ｄをＸ方向に貫通している。
【００６１】
また、第３の部分３１ｃには、弾性を有した鉤状の爪部３１ｒが設けられている。爪部３１ｒは、ベース３１ｄから凹部２１ｋに内に延びて、凹部３１ｋを２つの領域に区画している。爪部３１ｒは、ベース３１ｄから下方に延びたアーム部３１ｒａと、アーム部３１ｒａのＸ１方向側の面からＺ方向と直交する方向に突出した凸部３１ｒｂと、を有する。アーム部３１ｒａは、弾性変形可能である。凸部３１ｒｂは、収容部１５の前面１５ｂの第３の部分１５ｂｃの孔１５ｎに入れられた状態で引掛部１５ｕと引っ掛かっている。爪部３１ｒは、引掛部１５ｕによって、少なくともＺ１方向の移動を制限されている。爪部３１ｒは、第３の爪部の一例である。
【００６２】
以上の構成では、キーボード１２において隣り合う２つの爪部１２ｊの間に、爪部３１ｒ、爪部３１ｍ、および爪部３１ｎのうち少なくとも一つが位置されている。具体的には、キーボード１２の前端部１２ｃの第１の部分１２ｃａにおいて隣り合う二つの爪部１２ｊの間に、爪部３１ｍが位置されている。また、キーボード１２の前端部１２ｃの第２の部分１２ｃｂにおいて隣り合う二つの爪部１２ｊの間に、爪部３１ｎが位置されている。また、キーボード１２の前端部１２ｃの第１の部分１２ｃａの右端部に設けられた爪部１２ｊと第２の部分１２ｃｂの左端部に設けられた爪部１２ｊとの間に、爪部３１ｒが位置されている。
【００６３】
次に、キーボード１２の着脱方法について説明する。図１６は、実施形態の電子機器１におけるベース部２の例示的な平面図であって、カバー３１が外された状態の図である。図１７は、実施形態の電子機器１におけるベース部２の例示的な斜視図であって、カバー３１が外された状態の図である。図１８は、実施形態の電子機器１におけるベース部２の例示的な平面図であって、キーボード１２が第２の位置に移動された状態の図である。図１９は、実施形態の電子機器１におけるベース部２の例示的な斜視図であって、キーボード１２が第２の位置に移動された状態の図である。図２０は、実施形態の電子機器１におけるベース部２の例示的な斜視図であって、キーボード１２の後端部が引き上げられた状態の図である。図２１は、実施形態の電子機器１におけるベース部２の例示的な斜視図であって、キーボード１２の全体が引き上げられた状態の図である。
【００６４】
まず、キーボード１２の取り外しにおいては、作業者は、カバー３１を第１の筐体１１から取り外す。具体的には、作業者は、図１１に示される状態において、カバー３１の第３の部分３１ｃと収容部１５の前面１５ｂの第３の部分１５ｂｃとの間、または、カバー３１の第３の部分３１ｃとキーボード１２の前端部１２ｃの第３の部分１２ｃｃとの間に、比較的薄い板材（シート部材）を入れて、カバー３１の第３の部分３１ｃをＺ１方向（上方）に引き上げて、爪部３１ｒを引掛部１５ｕから外す。このとき、爪部３１ｒは、弾性変形をして引掛部１５ｕから外れる。作業者が、さらにカバー３１の第３の部分３１ｃをＺ１方向に引き上げることにより、爪部３１ｍ，３１ｎが第３の部分３１ｃ側へ引っ張られることにより引掛部１５ｊ，１５ｍから外れ、次に、爪部３１ｐ，３１ｑが、引掛部１５ｐ，１５ｒから外れる。このようにして、カバー３１が取り外された状態が図１６および図１７に示されている。カバー３１が取り外された状態では、キーボード１２の爪部１２ｊの少なくとも一部が露出する。
【００６５】
次に、図１９に示されるように、作業者は、キーボード１２をＸ１方向に移動させて、キーボード１２の爪部１２ｈを収容部１５の後面１５ｃの孔１５ｇの外に出す。これにより、爪部１２ｈが引掛部１５ｆから外される。
【００６６】
次に、図２０に示されるように、作業者は、キーボード１２の前端部１２ｃを支点として、キーボード１２の後端部１２ｄを上方に持ち上げる。
【００６７】
次に、図２１に示されるように、作業者は、キーボード１２をＸ２方向かつＺ１方向に移動させて、キーボード１２の爪部１２ｊを収容部１５の前面１５ｂの孔１５ｉの外に出す。これにより、爪部１２ｊが引掛部１５ｈから外される。また、これにより、キーボード１２が収容部１５から取り外される。キーボード１２の取り付けは、上記の手順の逆の手順で行われる。
【００６８】
以上から分かるように、キーボード１２は、爪部１２ｈが孔１５ｇに入れられた第１の位置（図８、図１６）と、第１の位置よりも後面１５ｃから前面１５ｂに向かうＸ１方向（第１の方向）の位置であり、爪部１２ｈが孔１５ｇの外に位置され収容部１５からの取り外しが可能な第２の位置（図１８）との間で移動可能である。カバー３１は、第１の位置に位置された状態のキーボード１２の爪部１２ｊに対して底面１５ａとは反対側に位置されて爪部１２ｊを覆った状態で前面１５ｂと前端部１２ｃとの間に介在し、キーボード１２のＸ１方向への移動を制限する（図８）。複数の爪部１２ｈ，１２ｊ，３１ｍ，３１ｎ，３１ｐ，３１ｑ，３１ｒは、爪部１２ｈと、爪部１２ｊと、を含み、第１の筐体１１とキーボード１２とカバー３１とを分離可能に引っ掛けによって結合する。
【００６９】
以上のように、本実施形態では、電子機器１は、第１の筐体１１（支持体）と、キーボード１２と、カバー３１と、複数の爪部１２ｈ，１２ｊ，３１ｍ，３１ｎ，３１ｐ，３１ｑ，３１ｒと、を備える。第１の筐体１１は、凹状の収容部１５を有する。収容部１５は、孔１５ｇ（第１の開口部）が設けられた後面１５ｃ（第１の面）と、後面１５ｃと間隔を空けて対向する１５ｂ（第２の面）と、後面１５ｃと前面１５ｂとを接続した底面１５ａと、を有する。キーボード１２は、後面１５ｃと対向する後端部１２ｄ（第１の端部）と、前面１５ｂと対向する前端部１２ｃ（第２の端部）と、後端部１２ｄと前端部１２ｃとの間に設けられた複数のキー１２ｇと、後端部１２ｄから前端部１２ｃとは反対側に突出し孔１５ｇに入れられる爪部１２ｈ（第１の爪部）と、前端部１２ｃから後端部１２ｄとは反対側に突出した爪部１２ｊ（第２の爪部）と、を有する。キーボード１２は、複数のキー１２ｇが収容部１５から露出する状態で収容部１５に収容される。キーボード１２は、爪部１２ｈが孔１５ｇに入れられた第１の位置と、第１の位置よりも後面１５ｃから前面１５ｂに向かうＸ１方向（第１の方向）の位置であり、爪部１２ｈが孔１５ｇの外に位置され収容部１５からの取り外しが可能な第２の位置との間で移動可能である。カバー３１は、第１の位置に位置された状態のキーボード１２の爪部１２ｊに対して底面１５ａとは反対側に位置されて爪部１２ｊを覆った状態で前面１５ｂと前端部１２ｃとの間に介在し、キーボード１２のＸ１方向への移動を制限する。複数の爪部１２ｈ，１２ｊ，３１ｍ，３１ｎ，３１ｐ，３１ｑ，３１ｒは、爪部１２ｈと、爪部１２ｊと、を含み、第１の筐体１１とキーボード１２とカバー３１とを分離可能に引っ掛けによって結合する。
【００７０】
このような構成によれば、例えば、カバー３１がキーボード１２の爪部１２ｈを覆うとともにキーボード１２のＸ１方向への移動を制限するので、キーボード１２の爪部１２ｊを覆う部材とキーボード１２のＸ１方向への移動を制限する部材とが別個に設けられた構成に比べて、電子機器１の構成を簡素化しやすい。また、複数の爪部１２ｈ，１２ｊ，３１ｍ，３１ｎ，３１ｐ，３１ｑ，３１ｒが、第１の筐体１１とキーボード１２とカバー３１とを分離可能に引っ掛けによって結合するので、第１の筐体１１とキーボード１２とカバー３１との結合に、ネジを用いる必要がないので、電子機器１の部品点数の増加を抑制できるとともに、比較的簡単にキーボード１２の着脱を行うことができる。また、カバー３１が爪部１２ｈを覆うので、電子機器１の外観の美観を向上させることができる。
【００７１】
また、本実施形態では、前面１５ｂには、爪部１２ｊが入れられた孔１５ｉ（第２の開口部）が設けられている。爪部１２ｈのＸ１方向の長さは、爪部１２ｊのＸ１方向の長さよりも短い。
【００７２】
このような構成によれば、例えば、孔１５ｇに対する爪部１２ｈの挿抜がしやすい。
【００７３】
また、本実施形態では、カバー３１は、Ｘ１方向と交差し底面１５ａに沿うＹ２方向（第２の方向）に延びた第１の部分３１ａと、第１の部分３１ａよりもＸ１方向およびＹ２方向に位置されＹ２方向に延びた第２の部分３１ｂと、Ｙ２方向に向かうにつれてＸ１方向に向かうように第１の部分３１ａから第２の部分３１ｂに延びた第３の部分３１ｃと、を有する。
【００７４】
このような構成によれば、カバー３１の全体がＹ２方向に直線状に延びている構成に比べて、カバー３１の外観形状に特徴を与えやすい。
【００７５】
また、本実施形態では、複数の爪部１２ｈ，１２ｊ，３１ｍ，３１ｎ，３１ｐ，３１ｑ，３１ｒは、第３の部分３１ｃに設けられ第１の筐体１１に引っ掛かる爪部３１ｒ（第３の爪部）を含む。
【００７６】
このような構成によれば、カバー３１の第３の部分３１ｃを第１の筐体１１に強固に取り付けることができる。
【００７７】
また、本実施形態では、複数の爪部１２ｈ，１２ｊ，３１ｍ，３１ｎ，３１ｐ，３１ｑ，３１ｒは、第１の部分３１ａに設けられ、Ｙ２方向の反対方向（Ｙ１方向）に突出し第１の筐体１１に引っ掛かる爪部３１ｍ，３１ｐ（第４の爪部）と、第２の部分３１ｂに設けられ、Ｙ１方向に突出し第１の筐体１１に引っ掛かる爪部３１ｎ，３１ｑ（第５の爪部）と、を含む。
【００７８】
このような構成によれば、カバー３１の第１の部分３１ａおよび第２の部分３１ｂを第１の筐体１１に強固に取り付けることができる。
【００７９】
また、本実施形態では、電子機器１は、Ｘ１方向と交差し底面１５ａに沿うＹ２方向に間隔を空けて設けられた複数の爪部１２ｊ（第２の爪部）を備える。隣り合う２つの爪部１２ｊの間に、爪部３１ｒ（第３の爪部）、爪部３１ｍ，３１ｐ（第４の爪部）、および爪部３１ｎ，３１ｑ（第５の爪部）のうち少なくとも一つが設けられている。
【００８０】
このような構成によれば、キーボード１２の爪部１２ｊが分散して設けられるので、キーボード１２を支持部に強固に取り付けることができる。
【００８１】
なお、上記実施形態では、キーボード１２の爪部１２ｊが、第１の筐体１１の孔１５ｉに入れられて第１の筐体１１と引っ掛けられ、カバー３１の爪部３１ｍ，３１ｎ，３１ｐ，３１ｑ，３１ｒが、第１の筐体１１に引っ掛けられた例が説明されたが、これに限定されない。例えば、キーボード１２の爪部１２ｊが、カバー３１に引っ掛けられていてもよい。すなわち、キーボード１２の爪部１２ｊがカバー３１を介して第１の筐体１１に支持されていてもよい。この場合、例えば、爪部１２ｊがカバー３１における凹部３１ｉを形成する部分と引っ掛かってよい。また、この場合、爪部１２ｊの長さは、爪部１２ｈの長さ以下であってもよい。また、カバー３１がキーボード１２に引っ掛けられていてもよい。すなわち、カバー３１が第１の筐体１１を介して第１の筐体１１に支持されていてもよい。
【００８２】
また、収容部１５の前面１５ｂ、キーボード１２の前端部１２ｃ、およびカバー３１は、それらの全体がＹ２方向に直線状であってもよい。
【００８３】
また、キーボード１２の爪部１２ｈ，１２ｊは、キーボード１２の左端部１２ｅおよび右端部１２ｆに設けられていてもよい。
【００８４】
また、電子機器１は、ディスプレイ部３を備えないものであってもよい。
【００８５】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８６】
１…電子機器、１１…第１の筐体（支持体）、１２…キーボード、１２ｄ…後端部（第１の端部）、１２ｃ…前端部（第２の端部）、１２ｇ…キー、１２ｈ…爪部（第１の爪部）、１２ｊ…爪部（第２の爪部）、１５…収容部、１５ａ…底面、１５ｂ…前面（第２の面）、１５ｃ…後面（第１の面）、１５ｇ…孔（第１の開口部）、１５ｉ…孔（第２の開口部）、３１…カバー、３１ａ…第１の部分、３１ｂ…第２の部分、３１ｃ第３の部分、３１ｍ，３１ｐ…爪部（第４の爪部）、３１ｎ，３１ｑ…爪部（第５の爪部）、３１ｒ…爪部（第３の爪部）。
【要約】
【課題】支持体に対するキーボードの取り付けるための構成を簡素化しやすい新規な構成の電子機器を得ることである。
【解決手段】電子機器は、支持体と、キーボードと、カバーと、を備える。支持体は、第１の開口部が設けられた第１の面と、第２の面と、底面と、を有する収容部を有する。キーボードは、第１の端部と、第２の端部と、第１の端部から突出した第１の爪部と、第２の端部から突出した第２の爪部と、を有する。キーボードは、収容部に収容され、第１の爪部が第１の開口部に入れられた第１の位置と、第１の位置よりも第１の方向の位置であり、第１の爪部が第１の開口部の外に位置され収容部からの取り外しが可能な第２の位置との間で移動可能である。カバーは、第２の爪部を覆った状態で、キーボードの第１の方向への移動を制限する。
【選択図】図２【図１】
0006849937.tif 000002
【図２】
0006849937.tif 000003
【図３】
0006849937.tif 000004
【図４】
0006849937.tif 000005
【図５】
0006849937.tif 000006
【図６】
0006849937.tif 000007
【図７】
0006849937.tif 000008
【図８】
0006849937.tif 000009
【図９】
0006849937.tif 000010
【図１０】
0006849937.tif 000011
【図１１】
0006849937.tif 000012
【図１２】
0006849937.tif 000013
【図１３】
0006849937.tif 000014
【図１４】
0006849937.tif 000015
【図１５】
0006849937.tif 000016
【図１６】
0006849937.tif 000017
【図１７】
0006849937.tif 000018
【図１８】
0006849937.tif 000019
【図１９】
0006849937.tif 000020
【図２０】
0006849937.tif 000021
【図２１】
0006849937.tif 000022